(57)【要約】【課題】容器に収容した揮発性液体が漏れ出すことを防止でき耐久性が高く、経済的なノズル用キャップを提供することを目的とする。【解決手段】円形孔１１Ａを有した筒状のシリコーンゴム製の管状体１１の直交端部１１Ｃ近くの上記円形孔１１Ａ内に球形のアルミナ製の密封体１２を圧入してノズル用キャップを構成する。【選択図】　図１
2004131141.tif 000002
【特許請求の範囲】
【請求項１】
揮発性液体を収容する容器に備えられた円筒状のノズルの吐出口を塞ぐノズル用キャップであって、弾性を備えた管状体の円形孔へ密封体を圧入して上記円形孔を閉塞し構成したノズル用キャップ。
【請求項２】
密封体は、管状体の円形孔を閉塞している形状部分が円形である請求項１記載のノズル用キャップ。
【請求項３】
管状体が、シリコーンゴム、フッ素ゴム等の有機溶剤等の揮発性液体に対して膨潤し難く弾性を備えた材質からなる請求項１記載のノズル用キャップ。
【請求項４】
密封体が、シリカ、アルミナ、窒化ホウ素、ジルコニア等の無機物質からなる請求項１記載のノズル用キャップ。
【請求項５】
密封体が、ポリアミド、テトラフルオロエチレン等の有機溶剤等の揮発性液体に対して膨潤し難い材質からなる請求項１記載のノズル用キャップ。
【請求項６】
密封体の直径が、管状体の円形孔の直径に対して１〜４０％大きい寸法の円形である請求項１記載のノズル用キャップ。
【請求項７】
管状体の円形孔の直径が、容器に備えられた円筒状のノズルの外径に対して１〜５％小さい寸法である請求項１記載のノズル用キャップ。
【発明の詳細な説明】
【０００１】
【発明の属する技術分野】
本発明は、有機溶剤等の揮発性液体を収容する容器のノズルを閉塞するために用いられるノズル用キャップに関するものである。
【０００２】
【従来の技術】
従来、試験管、ビーカ等の実験器具の洗浄等に使用される有機溶剤は、引火性があり常温において揮発性が非常に高い液体である。
【０００３】
このような有機溶剤等の揮発性液体を収容する容器は、軟質樹脂から作製されており、手で容器を押して中の揮発性液体を押し出すようにして使用する。
【０００４】
そして、この容器は試験管等を洗浄する際に使用し易くするためにノズル付のものとなっている。
【０００５】
まず、従来のノズル用キャップを説明する前に、ノズル付容器について説明を行う。
【０００６】
図３は、有機溶剤等の揮発性液体を収容したノズル付容器の断面図である。
【０００７】
同図において、１はポリエチレン製の容器、２は上記容器１に備えられたポリプロピレン製の円筒状のノズル、３はそのノズル２を保持した上記容器１の蓋である。
【０００８】
そして、４は上記容器１に収容された有機溶剤等の揮発性液体である。
【０００９】
上記円筒状のノズル２は、上記容器１の内部にある内端部２Ａが容器１の底近くにあって上記揮発性液体４に浸っていると共に、上記蓋３に支えられ容器１の外部に出た中間部分２Ｂは、揮発性液体４を吐出させる際に使い易いように下方に向くように曲げられており、外端部２Ｃは、先端に向けて円筒状の内外径が細くなるようにテーパが設けられて、その先端が揮発性液体４の吐出口２Ｄとなっている。
【００１０】
このように上記外端部２Ｃに設けられたテーパにより吐出口２Ｄを小さくしてあるのは、揮発性液体４を吐出させた直後の液漏れを起こし難くするためである。
【００１１】
しかし、この図３に示すようなノズル付容器は、雰囲気温度の変化により容器１に収容した揮発性液体４が揮発して、容器１の内部圧力が上昇することにより揮発性液体４がノズル２の吐出口２Ｄから漏れ出すことがあったり、容器１が転倒した場合にも揮発性液体４が漏れることがあった。
【００１２】
次に、従来のノズル用キャップを装着したノズル付容器について、図４を用いて説明する。
【００１３】
図４は、従来のノズル用キャップを装着したノズル付容器の部分断面図であり、同図に示すように、雰囲気温度の変化やノズル付容器が転倒した際の揮発性液体４の漏れ防止のため、図３に示したノズル付容器において容器１のノズル２の外端部２Ｃの先端側からポリプロピレン製のノズル用キャップ５を装着していた。
【００１４】
このノズル用キャップ５は、底部５Ａが塞がれた中穴５Ｂを有した筒状となっており、上記中穴５Ｂは、開口端部が最大径となり底部５Ａに向かってテーパが設けられている。
【００１５】
そして、上記開口端部はノズル２の外径寸法より小さくなっており、容器１のノズル２に圧入して装着していた。
【００１６】
なお、この出願の発明に関連する先行技術文献情報としては、例えば、特許文献１が知られている。
【００１７】
【特許文献１】
特開平７−４１０２２号公報
【００１８】
【発明が解決しようとする課題】
しかしながら、上記従来のノズル用キャップ５は、その材質がポリプロピレン製のものであるため、ノズル２との着脱の繰り返しと有機溶剤４の雰囲気によりキャップ５に亀裂が入って壊れ易く短期間で交換しなければならず、経済性の面から満足のいくものではなかった。
【００１９】
本発明は、このような従来の課題を解決するものであり、揮発性液体を収容したノズル付容器において、揮発性液体の漏れを防ぎ、ノズルとの着脱を繰り返しても亀裂等が発生しない経済性に優れるノズル用キャップを提供することを目的とする。
【００２０】
【課題を解決するための手段】
上記目的を達成するために本発明は、以下の構成を有するものである。
【００２１】
本発明の請求項１に記載の発明は、揮発性液体を収容する容器に備えられた円筒状のノズルの吐出口を塞ぐノズル用キャップであって、弾性を備えた管状体の円形孔へ密封体を圧入して上記円形孔を閉塞し構成したノズル用キャップであり、管状体が弾性を有しているため、ノズルとの着脱を繰り返しても亀裂が入ることなく、また管状体の円形孔を密封体で閉塞するのみであるため、容易かつ安価にノズル用キャップが得られるという作用を有する。
【００２２】
請求項２に記載の発明は、請求項１記載の発明において、密封体は、管状体の円形孔を閉塞している形状部分が円形であるものであり、当該部分の投影形状が円形であれば管状体の円形孔を確実に密封できるという作用を有する。
【００２３】
請求項３に記載の発明は、請求項１記載の発明において、管状体が、シリコーンゴム、フッ素ゴム等の有機溶剤等の揮発性液体に対して膨潤し難く弾性を備えた材質からなるものであり、これらのものは容易に入手し易く、かつこれらの管状体は膨潤し難いため安定して長期間使用でき、弾性を備えているのでノズルへの着脱作業性が良いという作用を有する。
【００２４】
請求項４に記載の発明は、請求項１記載の発明において、密封体が、シリカ、アルミナ、窒化ホウ素、ジルコニア等の無機物質からなるものであり、これらは容易に入手し易いと共に、耐溶剤性が高いものであるため、密封体の溶解及び膨潤による揮発性液体の漏れを防止できるという作用を有する。
【００２５】
請求項５に記載の発明は、請求項１記載の発明において、密封体が、ポリアミド、テトラフルオロエチレン等の有機溶剤等の揮発性液体に対して膨潤し難い材質からなるものであり、上記請求項４に記載の発明と同様の作用を有する。
【００２６】
請求項６に記載の発明は、請求項１記載の発明において、密封体の直径が、管状体の円形孔の直径に対して１〜４０％大きい寸法の円形であるものであり、管状体の円形孔を閉塞させるように密封体を圧入することが容易にできて、圧入時に管状体の円形孔を構成している壁に傷をつける等の劣化をさせることなく上記円形孔を確実に密封でき、圧入した隙間から液漏れを起こし難いものにできるという作用を有する。
【００２７】
請求項７に記載の発明は、請求項１記載の発明において、管状体の円形孔の直径が、容器に備えられた円筒状のノズルの外径に対して１〜５％小さい寸法であるものであり、管状体とノズルの吐出口との気密性を確保でき、かつキャップの着脱作業性にも優れたものとなるという作用を有する。
【００２８】
【発明の実施の形態】
（実施の形態）
以下本発明の一実施の形態について図１、図２を用いて説明する。
【００２９】
なお、従来の技術の項で説明した構成と同一構成の部分には同一符号を付して、詳細な説明を省略する。
【００３０】
図１は、本発明の一実施の形態によるノズル用キャップの断面図である。
【００３１】
同図において、１１は中央の円形孔１１Ａを有した所定長さの筒状のシリコーンゴム製の管状体であり、一端が管状体１１の軸心に約４５度の角度で傾斜した切断面となった傾斜端部１１Ｂとなり、他端が上記軸心にほぼ直交する切断面となった直交端部１１Ｃとなっている。
【００３２】
１２は、上記管状体１１の直交端部１１Ｃ近くで円形孔１１Ａ内に圧入された球形のアルミナ製の密封体である。
【００３３】
以上のように、本発明のノズル用キャップは構成されており、次にその製作方法について説明する。
【００３４】
まず、シリコーンゴム製のチューブを取り付け易い長さである５〜７ｃｍに切断して、管状体１１とする。その際に、一方の端部を約４５度の角度を付けて切断しておけばこの端部側からのノズルへの着脱を容易に行うことができる。
【００３５】
そして次に、上記管状体１１の円形孔１１Ａへ密封体１２としてのアルミナ製の球体を直交端部１１Ｃから１ｃｍ程度中に入った位置まで圧入することでノズル用キャップが製作できる。
【００３６】
なお、この製作に用いたシリコーンゴム製のチューブおよびアルミナ製の球体は、どちらも汎用の材料であるので安く入手することができて、容易にノズル用キャップを製作できるものである。
【００３７】
そして、上記のように、汎用のチューブを切断して球体を圧入するという簡単な工程で構成でき、特定の金型等も不要で容易かつ安価に製作できるものである。
【００３８】
また、管状体１１の材料としては、シリコーンゴムの他にフッ素ゴム等の有機溶剤等の揮発性液体に対して膨潤しない弾性材料であれば良く、容易に入手が可能で、安定して長期間使用できると共に、弾性を有しているのでノズル２への着脱作業性が良い。
【００３９】
ここで、密封体１２の直径は、管状体１１の円形孔１１Ａの直径に対して１〜４０％大きいものが良く、管状体１１と密封体１２の密着性が良く気密性が確保でき、円形孔１１Ａを閉塞状態にできるため、揮発性液体４の漏れが防止できると共に、管状体１１へ密封体１２を圧入する際にも容易に圧入作業を行う、また圧入時に円形孔１１Ａを構成する壁に傷がつくことも少ない。
【００４０】
次に、密封体１２の材質として、本実施の形態ではアルミナを用いたが、揮発性液体４に対して溶解し難いものとして、シリカ、窒化ホウ素、ジルコニア等の無機物質を用いても良く、これらは入手が容易であり耐溶剤性が高いので、収容した揮発性液体により密封体が溶解もしくは膨潤することがないため、ノズル用キャップの耐久性が低下することが少ない。
【００４１】
更に、密封体１２として、揮発性液体４に対して膨潤し難いポリアミド、テトラフルオロエチレン等の有機物質を使用しても良く、これらの材質によっても上記と同様にノズル用キャップの耐久性が低下することが少なくできる。
【００４２】
次に、図２は、本発明のノズル用キャップを装着したノズル付容器の断面図であるが、ノズル付容器は、従来の技術で説明したものと同じものであるので詳細な説明は省略する。
【００４３】
ここでノズル用キャップは、管状体１１の円形孔１１Ａの直径がノズル２の外径より小さいものであり、ノズル２に装着するとき管状体１１が弾性を備えたシリコーンゴム製であるのでその円形孔１１Ａが弾力を持って広がって容易に装着できると共に、ノズル２との密着性を向上できノズル２と管状体１１の気密性を確保するものである。
【００４４】
そして、管状体１１の円形孔１１Ａの直径が、ノズル２の外径より１〜５％小さいものであれば、気密性を確保しながら着脱の作業性にも良いものにできる。
【００４５】
なお、本実施の形態では、密封体１２の形状として球体を用いたが、管状体１１の円形孔１１Ａを塞ぐことができるように、管状体１１の円形孔１１Ａを閉塞する密封体の形状部分が円形孔１１Ａに応じた円形であれば良く、例えば、ラグビーボール形状、砲弾形状等でも良いものである。
【００４６】
このように本実施の形態によれば、ノズルからの着脱を繰り返した場合においても亀裂が発生することが無く、ノズル付容器からの有機溶剤等の揮発性液体の漏れを防止できるものである。
【００４７】
また、ノズル付容器のノズル吐出口を閉塞できるノズル用キャップを身近な汎用部材により容易かつ安価に作製できるものである。
【００４８】
【発明の効果】
以上のように本発明によれば、耐久性が高いノズル用キャップを汎用部材により容易かつ安価に作製できて経済性が高く、有機溶剤等の揮発性液体が容器から漏れ出すことを防止でき、ノズルとの着脱を繰り返しても亀裂等が発生しないので長期に亘って継続的に使用し続けることができるものが得られるという有利な効果が得られる。
【図面の簡単な説明】
【図１】本発明の一実施の形態によるノズル用キャップの断面図
【図２】同ノズル用キャップを装着したノズル付容器の断面図
【図３】ノズル付容器の断面図
【図４】従来のノズル用キャップを装着したノズル付容器の部分断面図
【符号の説明】
１　容器
２　ノズル
３　蓋
４　揮発性液体
１１　管状体
１１Ａ　円形孔
１１Ｂ　傾斜端部
１１Ｃ　直交端部
１２　密封体
【図１】
2004131141.tif 000003
【図２】
2004131141.tif 000004
【図３】
2004131141.tif 000005
【図４】
2004131141.tif 000006